(57)【要約】【課題】ＨＤＭＩ規格に準拠した複数の装置が無線区間を介して接続されていても装置間で重複なく論理アドレスを割り当てる。【解決手段】無線ノード装置２０のＣＥＣコントローラ２１Ａは、有線インターフェース回路２２からポーリングメッセージを受信したときにアドレスリストメモリ２１Ｂのアドレスリストテーブルに基づいて上記ポーリングメッセージの宛先論理アドレスを判断し、上記ポーリングメッセージの宛先論理アドレスが無線区間を介して接続されたノード装置の論理アドレスである場合、上記受信したポーリングメッセージに対するＡＣＫを有線インターフェース回路２２から送信することを特徴とする。【選択図】図１
2008295069.tif 000002
【特許請求の範囲】
【請求項１】
ＨＤＭＩにおけるＣＥＣメッセージを送受信する複数のノード装置と、上記複数のノード装置のうちの少なくとも１つにそれぞれ有線接続された少なくとも２つの無線アダプタ通信装置とを備えた無線通信システムの論理アドレス割り当て方法であって、上記少なくとも２つの無線アダプタ通信装置は、上記ノード装置に有線接続された有線インターフェースと、無線インターフェースと、アドレスリスト記憶手段とをそれぞれ備え、
上記論理アドレス割り当て方法は、
上記各無線アダプタ通信装置において、上記有線インターフェースを介して接続されたノード装置の論理アドレスと、上記無線インターフェースを介して接続されたノード装置の論理アドレスとを、当該無線アダプタ通信装置のアドレスリスト記憶手段に格納するステップと、
上記少なくとも２つの無線アダプタ通信装置の１つにおいて、上記有線インターフェースからポーリングメッセージを受信したときに上記アドレスリスト記憶手段の内容に基づいて上記ポーリングメッセージの宛先論理アドレスを判断し、上記ポーリングメッセージの宛先論理アドレスが上記無線インターフェースを介して接続されたノード装置の論理アドレスである場合、上記受信したポーリングメッセージに対するＡＣＫ信号を上記有線インターフェースから送信するステップとを含むことを特徴とする論理アドレス割り当て方法。
【請求項２】
上記格納するステップは、上記少なくとも２つの無線アダプタ通信装置の１つにおいて、
上記有線インターフェースに接続されたノード装置の論理アドレスをアドレスリスト記憶手段に追加するステップと、
上記有線インターフェースを介して当該無線アダプタ通信装置に接続され、上記アドレスリスト記憶手段に論理アドレスが格納されているノード装置に対する定期的な接続確認を行うステップと、
上記接続確認の結果、当該無線アダプタ通信装置から切断されたと判断したノード装置の論理アドレスを上記アドレスリスト記憶手段から削除するステップとを含むことを特徴とする請求項１記載の論理アドレス割り当て方法。
【請求項３】
上記定期的な接続確認を行うステップは、ポーリングメッセージを用いて接続確認を行うことを特徴とする請求項２記載の論理アドレス割り当て方法。
【請求項４】
上記アドレスリスト記憶手段は、当該アドレスリスト記憶手段に格納された論理アドレスに対応するノード装置が、上記アドレスリスト記憶手段を備えた無線アダプタ通信装置に有線インターフェースを介して接続されているか否かを示すフラグをさらに格納することを特徴とする請求項１乃至３のいずれか１つに記載の論理アドレス割り当て方法。
【請求項５】
上記アドレスリスト記憶手段は、当該アドレスリスト記憶手段に格納された論理アドレスに対応するノード装置の物理アドレスをさらに含むことを特徴とする請求項４記載の論理アドレス割り当て方法。
【請求項６】
上記格納するステップは、上記少なくとも２つの無線アダプタ通信装置の１つにおいて、
上記有線インターフェースを介して接続されているノード装置が切断されたとき、上記アドレスリスト記憶手段の物理アドレスを参照し、当該ノード装置より下位の階層に接続されている下位のノード装置が存在する場合には、当該下位のノード装置も切断されたと判断するステップと、
当該無線アダプタ通信装置から切断されたと判断したノード装置の論理アドレスを上記アドレスリスト記憶手段から削除するステップとを含むことを特徴とする請求項５記載の論理アドレス割り当て方法。
【請求項７】
上記無線通信システムは、上記各ノード装置のための無線アドレスを管理するアドレス管理手段をさらに備え、
上記格納するステップは、上記有線インターフェースを介して上記無線アダプタ通信装置に接続されたノード装置のための無線アドレスを上記アドレス管理手段から取得し、当該ノード装置の論理アドレスと関連付けて上記アドレスリスト記憶手段に格納するステップを含むことを特徴とする請求項１乃至６のいずれか１つに記載の論理アドレス割り当て方法。
【請求項８】
上記有線インターフェースはＨＤＭＩの５Ｖ信号線を含み、
上記格納するステップは、上記少なくとも２つの無線アダプタ通信装置の１つにおいて、
上記有線インターフェースを介して当該無線アダプタ通信装置に接続され、上記アドレスリスト記憶手段に論理アドレスが格納されているノード装置について、上記５Ｖ信号線の電圧値に基づいて当該ノード装置が当該無線アダプタ通信装置から切断されたか否かを判断するステップと、
当該無線アダプタ通信装置から切断されたと判断したノード装置の論理アドレスを上記アドレスリスト記憶手段から削除するステップとを含むことを特徴とする請求項１乃至７のいずれか１つに記載の論理アドレス割り当て方法。
【請求項９】
上記少なくとも２つの無線アダプタ通信装置の１つにおいて特定のメッセージを受信したとき、受信したメッセージに含まれる送信元論理アドレスを当該無線アダプタ通信装置のアドレスリスト記憶手段に追加するステップをさらに含むことを特徴とする請求項１乃至８のうちのいずれか１つに記載の論理アドレス割り当て方法。
【請求項１０】
上記特定のメッセージはレポート・フィジカル・アドレス（Ｒｅｐｏｒｔ  Ｐｈｙｓｉｃａｌ  Ａｄｄｒｅｓｓ）メッセージであることを特徴とする請求項９記載の論理アドレス割り当て方法。
【請求項１１】
上記少なくとも２つの無線アダプタ通信装置の１つにおいて上記レポート・フィジカル・アドレス（Ｒｅｐｏｒｔ  Ｐｈｙｓｉｃａｌ  Ａｄｄｒｅｓｓ）メッセージを受信したとき、受信したメッセージに含まれる送信元論理アドレスと物理アドレスを関連付けて当該無線アダプタ通信装置のアドレスリスト記憶手段に追加するステップをさらに含むことを特徴とする請求項１０記載の論理アドレス割り当て方法。
【請求項１２】
上記論理アドレス割り当て方法は、上記少なくとも２つの無線アダプタ通信装置の１つにおいて、
上記アドレスリスト記憶手段に格納された内容が変更されたときに、上記アドレスリスト記憶手段の変更内容を示すリスト交換メッセージを上記無線インタフェースを介して他の無線アダプタ通信装置に送信するステップと、
他の無線アダプタ通信装置から当該他の無線アダプタ通信装置のアドレスリスト記憶手段の変更内容を示すリスト交換メッセージを受信したときに、上記受信したリスト交換メッセージに含まれる変更内容に従って、上記無線インターフェースを介して接続されたノード装置の論理アドレスを追加又は削除するステップとを含むことを特徴とする請求項１乃至１１のうちのいずれか１つに記載の論理アドレス割り当て方法。
【請求項１３】
上記リスト交換メッセージは、上記アドレスリスト記憶手段の内容の少なくとも一部を含むことを特徴とする請求項１２記載の論理アドレス割り当て方法。
【請求項１４】
上記各無線アダプタ通信装置は、当該無線アダプタ通信装置のアドレスリスト記憶手段が変更される毎に上記リスト交換メッセージを送信することを特徴とする請求項１３記載の論理アドレス割り当て方法。
【請求項１５】
上記リスト交換メッセージは、上記アドレスリスト記憶手段において新たに追加又は削除された論理アドレスと、当該論理アドレスの追加又は削除を示すビットとを少なくとも含むことを特徴とする請求項１３又は１４記載の論理アドレス割り当て方法。
【請求項１６】
上記リスト交換メッセージは、上記アドレスリスト記憶手段に格納されたすべてのノード装置に対応する情報を含むことを特徴とする請求項１３又は１４記載の論理アドレス割り当て方法。
【請求項１７】
上記無線アダプタ通信装置のアドレスリスト記憶手段に存在しない論理アドレスの中から当該無線アダプタ通信装置自体の論理アドレスを選択するステップをさらに含むことを特徴とする請求項１乃至１６のうちのいずれか１つに記載の論理アドレス割り当て方法。
【請求項１８】
ＨＤＭＩにおけるＣＥＣメッセージを送受信する複数のノード装置と、上記複数のノード装置のうちの少なくとも１つにそれぞれ有線接続された少なくとも２つの無線アダプタ通信装置とを備えた無線通信システムにおいて論理アドレスを割り当てる無線アダプタ通信装置であって、
上記各無線アダプタ通信装置は、
上記ノード装置に有線接続された有線インターフェースと、
無線インターフェースと、
上記有線インターフェースを介して接続されたノード装置の論理アドレスと、上記無線インターフェースを介して接続されたノード装置の論理アドレスとを格納したアドレスリスト記憶手段と、
上記アドレスリスト記憶手段の内容に基づいて、上記有線インターフェース及び上記無線インターフェースを用いた送受信を制御する制御手段とをそれぞれ備え、
上記制御手段は、上記有線インターフェースからポーリングメッセージを受信したときに上記アドレスリスト記憶手段の内容に基づいて上記ポーリングメッセージの宛先論理アドレスを判断し、上記ポーリングメッセージの宛先論理アドレスが上記無線インターフェースを介して接続されたノード装置の論理アドレスである場合、上記受信したポーリングメッセージに対するＡＣＫ信号を上記有線インターフェースから送信することを特徴とする無線アダプタ通信装置。
【請求項１９】
上記制御手段は、
上記有線インターフェースに接続されたノード装置の論理アドレスをアドレスリスト記憶手段に追加し、
上記有線インターフェースを介して上記無線アダプタ通信装置に接続され、上記アドレスリスト記憶手段に論理アドレスが格納されているノード装置に対する定期的な接続確認を実行し、
上記接続確認の結果、上記無線アダプタ通信装置から切断されたと判断したノード装置の論理アドレスを上記アドレスリスト記憶手段から削除することを特徴とする請求項１８記載の無線アダプタ通信装置。
【請求項２０】
上記定期的な接続確認は、ポーリングメッセージを用いて実行されることを特徴とする請求項１９記載の無線アダプタ通信装置。
【請求項２１】
上記アドレスリスト記憶手段は、当該アドレスリスト記憶手段に格納された論理アドレスに対応するノード装置が、上記アドレスリスト記憶手段を備えた無線アダプタ通信装置に有線インターフェースを介して接続されているか否かを示すフラグをさらに格納することを特徴とする請求項１８乃至２０のいずれか１つに記載の無線アダプタ通信装置。
【請求項２２】
上記アドレスリスト記憶手段は、当該アドレスリスト記憶手段に格納された論理アドレスに対応するノード装置の物理アドレスをさらに含むことを特徴とする請求項２１記載の無線アダプタ通信装置。
【請求項２３】
上記制御手段は、
上記有線インターフェースを介して接続されているノード装置が切断されたとき、上記アドレスリスト記憶手段の物理アドレスを参照し、当該ノード装置より下位の階層に接続されている下位のノード装置が存在する場合には、当該下位のノード装置も切断されたと判断し、
上記無線アダプタ通信装置から切断されたと判断したノード装置の論理アドレスを上記アドレスリスト記憶手段から削除することを特徴とする請求項２２記載の無線アダプタ通信装置。
【請求項２４】
上記無線通信システムは、上記各ノード装置のための無線アドレスを管理するアドレス管理手段をさらに備え、
上記制御手段は、上記有線インターフェースを介して上記無線アダプタ通信装置に接続されたノード装置のための無線アドレスを上記アドレス管理手段から取得し、当該ノード装置の論理アドレスと関連付けて上記アドレスリスト記憶手段に格納することを特徴とする請求項１８乃至２３のいずれか１つに記載の無線アダプタ通信装置。
【請求項２５】
上記有線インターフェースはＨＤＭＩの５Ｖ信号線を含み、
上記制御手段は、
上記有線インターフェースを介して上記無線アダプタ通信装置に接続され、上記アドレスリスト記憶手段に論理アドレスが格納されているノード装置について、上記５Ｖ信号線の電圧値に基づいて当該ノード装置が上記無線アダプタ通信装置から切断されたか否かを判断し、
上記無線アダプタ通信装置から切断されたと判断したノード装置の論理アドレスを上記アドレスリスト記憶手段から削除することを特徴とする請求項１８乃至２４のいずれか１つに記載の無線アダプタ通信装置。
【請求項２６】
上記無線アダプタ通信装置において特定のメッセージを受信したとき、上記制御手段は、受信したメッセージに含まれる送信元論理アドレスを上記アドレスリスト記憶手段に追加することを特徴とする請求項１８乃至２５のうちのいずれか１つに記載の無線アダプタ通信装置。
【請求項２７】
上記特定のメッセージはレポート・フィジカル・アドレス（Ｒｅｐｏｒｔ  Ｐｈｙｓｉｃａｌ  Ａｄｄｒｅｓｓ）メッセージであることを特徴とする請求項２６記載の無線アダプタ通信装置。
【請求項２８】
上記無線アダプタ通信装置において上記レポート・フィジカル・アドレス（Ｒｅｐｏｒｔ  Ｐｈｙｓｉｃａｌ  Ａｄｄｒｅｓｓ）メッセージを受信したとき、上記制御手段は、受信したメッセージに含まれる送信元論理アドレスと物理アドレスを関連付けて上記アドレスリスト記憶手段に追加することを特徴とする請求項２７記載の無線アダプタ通信装置。
【請求項２９】
上記少なくとも２つの無線アダプタ通信装置の１つにおいて、上記制御手段は、
上記アドレスリスト記憶手段に格納された内容が変更されたときに、上記アドレスリスト記憶手段の変更内容を示すリスト交換メッセージを上記無線インタフェースを介して他の無線アダプタ通信装置に送信し、
他の無線アダプタ通信装置から当該他の無線アダプタ通信装置のアドレスリスト記憶手段の変更内容を示すリスト交換メッセージを受信したときに、上記受信したリスト交換メッセージに含まれる変更内容に従って、上記無線インターフェースを介して接続されたノード装置の論理アドレスを追加又は削除することを特徴とする請求項１８乃至２８のうちのいずれか１つに記載の無線アダプタ通信装置。
【請求項３０】
上記リスト交換メッセージは、上記アドレスリスト記憶手段の内容の少なくとも一部を含むことを特徴とする請求項２９記載の無線アダプタ通信装置。
【請求項３１】
上記無線アダプタ通信装置は、上記アドレスリスト記憶手段が変更される毎に上記リスト交換メッセージを送信することを特徴とする請求項３０記載の無線アダプタ通信装置。
【請求項３２】
上記リスト交換メッセージは、上記アドレスリスト記憶手段において新たに追加又は削除された論理アドレスと、当該論理アドレスの追加又は削除を示すビットとを少なくとも含むことを特徴とする請求項３０又は３１記載の無線アダプタ通信装置。
【請求項３３】
上記リスト交換メッセージは、上記アドレスリスト記憶手段に格納されたすべてのノード装置に対応する情報を含むことを特徴とする請求項３０又は３１記載の無線アダプタ通信装置。
【請求項３４】
上記制御手段は、上記アドレスリスト記憶手段に存在しない論理アドレスの中から上記無線アダプタ通信装置自体の論理アドレスを選択することを特徴とする請求項１８乃至３３のうちのいずれか１つに記載の無線アダプタ通信装置。
【発明の詳細な説明】
【技術分野】
【０００１】
本発明は、ＨＤＭＩ規格に準拠した複数の装置が無線区間を介して接続されていてもＨＤＭＩにおける論理アドレス割り当てを可能とした論理アドレス割り当て方法、及びそのような論理アドレス割り当てを行う無線通信装置に関するものである。
【背景技術】
【０００２】
従来のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）における論理アドレスの割り当て方法としては、有線で割り当てるものがあった。ここで、ＨＤＭＩとは、非特許文献１で規格化されているものである。ＨＤＭＩにおいては、論理アドレスを用いて、装置を識別することにより、各装置間で制御信号の伝送を行い、互いの制御を可能とする（例えば、特許文献１）。
【０００３】
ＨＤＭＩ規格に準拠した複数の装置がＨＤＭＩケーブルにより有線接続される場合の論理アドレス割り当て方法について説明する。論理アドレスは、１６進数で０からＦまでの１６個の値をとり、装置の種別に関連付けられる。例えば、装置がＴＶであれば０の値をとり、装置がＤＶＤプレーヤであれば４又は８の値をとり、装置がセット・トップ・ボックス（ＳＴＢ；Ｓｅｔ  Ｔｏｐ  Ｂｏｘ）であれば３、６又は７の値をとる。
【０００４】
まず、シンク装置（例えば、ＴＶやプロジェクタなど）に物理アドレス０．０．０．０があらかじめ設定される。シンク装置がＨＤＭＩ入力ポートを複数備えている場合、各ポートに対応付けられて設置されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）の物理アドレス格納領域に、各入力ポートに接続される機器の物理アドレスが格納される。格納される物理アドレスは、当該装置自体の物理アドレスとポート番号に基づいて構成される。例えば、シンク装置のポート番号１の入力ポートに対応付けられたＥＤＩＤの物理アドレス格納領域には、１．０．０．０が格納され、ポート番号２の入力ポートに対応付けられたＥＤＩＤの物理アドレス格納領域には、２．０．０．０が格納される。シンク装置の入力ポートにソース装置（例えば、ＤＶＤプレーヤーやＳＴＢなど）が接続されたとき、ソース装置において接続を示すＨＰＤ（Ｈｏｔ  Ｐｌｕｇ  Ｄｅｔｅｃｔ）信号が検出される。ソース装置においてＨＰＤ信号が検出されたとき、ＤＤＣ（Ｄｉｓｐｌａｙ  Ｄａｔａ  Ｃｈａｎｎｅｌ）を用いてシンク装置のＥＤＩＤの物理アドレス格納領域を読み込み、読み込んだ物理アドレスを当該ソース装置自体の物理アドレスに設定する。ソース装置は、物理アドレスが設定された後、当該ソース装置自体の論理アドレスの割り当てを開始する。
【０００５】
まず、ソース装置は、当該ソース装置自体の種別に関連付けられた論理アドレスから１つを選択する。ソース装置は選択した論理アドレスを宛先としてポーリングメッセージをＣＥＣ（Ｃｏｎｓｕｍｅｒ  Ｅｌｅｃｔｒｏｎｉｃｓ  Ｃｏｎｔｒｏｌ）バス上に出力する。このポーリングメッセージを受信した各装置は、ポーリングメッセージの宛先論理アドレスが当該装置自体の論理アドレスであるとき、ＡＣＫを返信する。ＣＥＣバスにおいてポーリングメッセージに対するＡＣＫが返信されないとき、ソース装置は選択した論理アドレスを使用することと決定する。一方、ポーリングメッセージに対するＡＣＫが返信されたとき、ソース装置は、ポーリングメッセージの宛先論理アドレスが他の装置にすでに割り当てられていると判断し、当該ソース装置自体の種別に関連付けられた別の論理アドレスを選択する。ソース装置は、選択した論理アドレスを宛先とするポーリングメッセージをＣＥＣバス上に出力し、ＡＣＫが返信されなければ選択した論理アドレスを使用することと決定する。再度、ＡＣＫが返信されたときは、ソース装置は同様に異なる論理アドレスを選択し、ポーリングメッセージを出力する処理を行う。
【０００６】
【特許文献１】特開２００４−２０８２９０号公報。
【非特許文献１】High-Definition Multimedia Interface Specification, Version1.1, HDMI Licensing, LLC, California in U.S.A., May 20,2004。
【発明の開示】
【発明が解決しようとする課題】
【０００７】
しかしながら、各装置が無線区間を介して接続されている状況においては、ある装置から送信されたポーリングメッセージに対して、ポーリングメッセージの宛先論理アドレスを持つ装置がＡＣＫを返信した場合においても、ポーリングメッセージを送信した装置がそのＡＣＫを規定時間内に受信することができない。そのため、ポーリングメッセージを送信した装置はＡＣＫを受信しなかったため、ポーリングメッセージの宛先論理アドレスは利用されていないと判断し、その論理アドレスを当該装置自体のアドレスとして使用する。このように装置間に無線区間を介する状況においては論理アドレスを重複なく割り当てることができないという課題を有していた。
【０００８】
本発明の目的は以上の問題点を解決し、ＨＤＭＩ規格に準拠した複数の装置が無線区間を介して接続されていても装置間で重複なく論理アドレスを割り当てることを可能とする論理アドレス割り当て方法、及びそのような論理アドレス割り当てを行う無線通信装置を提供することにある。
【課題を解決するための手段】
【０００９】
本発明の第１の態様に係る論理アドレス割り当て方法は、ＨＤＭＩにおけるＣＥＣメッセージを送受信し、少なくとも２つの無線通信装置を含む複数のノード装置を備えた無線通信システムの論理アドレス割り当て方法であって、上記少なくとも２つの無線通信装置は、有線インターフェース、無線インターフェース及びアドレスリスト記憶手段をそれぞれ備え、
上記割り当て方法は、
上記各無線通信装置において、上記有線インターフェースを介して接続されたノード装置の論理アドレスと、上記無線インターフェースを介して接続されたノード装置の論理アドレスとを、当該無線通信装置のアドレスリスト記憶手段に格納するステップと、
上記少なくとも２つの無線通信装置の１つにおいて、上記有線インターフェースからポーリングメッセージを受信したときに上記アドレスリスト記憶手段の内容に基づいて上記ポーリングメッセージの宛先論理アドレスを判断し、上記ポーリングメッセージの宛先論理アドレスが上記無線インターフェースを介して接続されたノード装置の論理アドレスである場合、上記受信したポーリングメッセージに対するＡＣＫ信号を上記有線インターフェースから送信するステップとを含むことを特徴とする。
【００１０】
上記論理アドレス割り当て方法において、上記格納するステップは、上記少なくとも２つの無線通信装置の１つにおいて、
上記有線インターフェースに接続されたノード装置の論理アドレスをアドレスリスト記憶手段に追加するステップと、
上記有線インターフェースを介して当該無線通信装置に接続され、上記アドレスリスト記憶手段に論理アドレスが格納されているノード装置に対する定期的な接続確認を行うステップと、
上記接続確認の結果、当該無線通信装置から切断されたと判断したノード装置の論理アドレスを上記アドレスリスト記憶手段から削除するステップとを含むことを特徴とする。
【００１１】
また、上記論理アドレス割り当て方法において、上記定期的な接続確認を行うステップは、ポーリングメッセージを用いて接続確認を行うことを特徴とする。
【００１２】
さらに、上記論理アドレス割り当て方法において、上記アドレスリスト記憶手段は、当該アドレスリスト記憶手段に格納された論理アドレスに対応するノード装置が、上記アドレスリスト記憶手段を備えた無線通信装置に有線インターフェースを介して接続されているか否かを示すフラグをさらに格納することを特徴とする。
【００１３】
またさらに、上記論理アドレス割り当て方法において、上記アドレスリスト記憶手段は、当該アドレスリスト記憶手段に格納された論理アドレスに対応するノード装置の物理アドレスをさらに含むことを特徴とする。
【００１４】
また、上記論理アドレス割り当て方法において、上記格納するステップは、上記少なくとも２つの無線通信装置の１つにおいて、
上記有線インターフェースを介して接続されているノード装置が切断されたとき、上記アドレスリスト記憶手段の物理アドレスを参照し、当該ノード装置より下位の階層に接続されている下位のノード装置が存在する場合には、当該下位のノード装置も切断されたと判断するステップと、
当該無線通信装置から切断されたと判断したノード装置の論理アドレスを上記アドレスリスト記憶手段から削除するステップとを含むことを特徴とする。
【００１５】
さらに、上記論理アドレス割り当て方法において、
上記無線通信システムは、上記各ノード装置のための無線アドレスを管理するアドレス管理手段をさらに備え、
上記格納するステップは、上記有線インターフェースを介して上記無線通信装置に接続されたノード装置のための無線アドレスを上記アドレス管理手段から取得し、当該ノード装置の論理アドレスと関連付けて上記アドレスリスト記憶手段に格納するステップを含むことを特徴とする。
【００１６】
またさらに、上記論理アドレス割り当て方法において、
上記有線インターフェースはＨＤＭＩの５Ｖ信号線を含み、
上記格納するステップは、上記少なくとも２つの無線通信装置の１つにおいて、
上記有線インターフェースを介して当該無線通信装置に接続され、上記アドレスリスト記憶手段に論理アドレスが格納されているノード装置について、上記５Ｖ信号線の電圧値に基づいて当該ノード装置が当該無線通信装置から切断されたか否かを判断するステップと、
当該無線通信装置から切断されたと判断したノード装置の論理アドレスを上記アドレスリスト記憶手段から削除するステップとを含むことを特徴とする。
【００１７】
また、上記論理アドレス割り当て方法は、上記少なくとも２つの無線通信装置の１つにおいて特定のメッセージを受信したとき、受信したメッセージに含まれる送信元論理アドレスを当該無線通信装置のアドレスリスト記憶手段に追加するステップをさらに含むことを特徴とする。
【００１８】
さらに、上記論理アドレス割り当て方法において、上記特定のメッセージはレポート・フィジカル・アドレス（Ｒｅｐｏｒｔ  Ｐｈｙｓｉｃａｌ  Ａｄｄｒｅｓｓ）メッセージであることを特徴とする。
【００１９】
またさらに、上記論理アドレス割り当て方法は、上記少なくとも２つの無線通信装置の１つにおいて上記レポート・フィジカル・アドレス（Ｒｅｐｏｒｔ  Ｐｈｙｓｉｃａｌ  Ａｄｄｒｅｓｓ）メッセージを受信したとき、受信したメッセージに含まれる送信元論理アドレスと物理アドレスを関連付けて当該無線通信装置のアドレスリスト記憶手段に追加するステップをさらに含むことを特徴とする。
【００２０】
また、上記論理アドレス割り当て方法は、上記少なくとも２つの無線通信装置の１つにおいて、
上記アドレスリスト記憶手段に格納された内容が変更されたときに、上記アドレスリスト記憶手段の変更内容を示すリスト交換メッセージを上記無線インタフェースを介して他の無線通信装置に送信するステップと、
他の無線通信装置から当該他の無線通信装置のアドレスリスト記憶手段の変更内容を示すリスト交換メッセージを受信したときに、上記受信したリスト交換メッセージに含まれる変更内容に従って、上記無線インターフェースを介して接続されたノード装置の論理アドレスを追加又は削除するステップとを含むことを特徴とする。
【００２１】
さらに、上記論理アドレス割り当て方法において、上記リスト交換メッセージは、上記アドレスリスト記憶手段の内容の少なくとも一部を含むことを特徴とする。
【００２２】
またさらに、上記論理アドレス割り当て方法において、上記各無線通信装置は、当該無線通信装置のアドレスリスト記憶手段が変更される毎に上記リスト交換メッセージを送信することを特徴とする。
【００２３】
また、上記論理アドレス割り当て方法において、上記リスト交換メッセージは、上記アドレスリスト記憶手段において新たに追加又は削除された論理アドレスと、当該論理アドレスの追加又は削除を示すビットとを少なくとも含むことを特徴とする。
【００２４】
さらに、上記論理アドレス割り当て方法において、上記リスト交換メッセージは、上記アドレスリスト記憶手段に格納されたすべてのノード装置に対応する情報を含むことを特徴とする。
【００２５】
またさらに、上記論理アドレス割り当て方法は、上記無線通信装置のアドレスリスト記憶手段に存在しない論理アドレスの中から当該無線通信装置自体の論理アドレスを選択するステップをさらに含むことを特徴とする。
【００２６】
本発明の第２の態様に係る無線通信装置は、ＨＤＭＩにおけるＣＥＣメッセージを送受信し、少なくとも２つの無線通信装置を含む複数のノード装置を備えた無線通信システムにおいて論理アドレスを割り当てる無線通信装置であって、
上記各無線通信装置は、
有線インターフェースと、
無線インターフェースと、
上記有線インターフェースを介して接続されたノード装置の論理アドレスと、上記無線インターフェースを介して接続されたノード装置の論理アドレスとを格納したアドレスリスト記憶手段と、
上記アドレスリスト記憶手段の内容に基づいて、上記有線インターフェース及び上記無線インターフェースを用いた送受信を制御する制御手段とをそれぞれ備え、
上記制御手段は、上記少なくとも２つの無線通信装置の１つにおいて、上記有線インターフェースからポーリングメッセージを受信したときに上記アドレスリスト記憶手段の内容に基づいて上記ポーリングメッセージの宛先論理アドレスを判断し、上記ポーリングメッセージの宛先論理アドレスが上記無線インターフェースを介して接続されたノード装置の論理アドレスである場合、上記受信したポーリングメッセージに対するＡＣＫ信号を上記有線インターフェースから送信することを特徴とする。
【００２７】
上記少なくとも２つの無線通信装置の１つにおいて、上記制御手段は、
上記有線インターフェースに接続されたノード装置の論理アドレスをアドレスリスト記憶手段に追加し、
上記有線インターフェースを介して当該無線通信装置に接続され、上記アドレスリスト記憶手段に論理アドレスが格納されているノード装置に対する定期的な接続確認を実行し、
上記接続確認の結果、当該無線通信装置から切断されたと判断したノード装置の論理アドレスを上記アドレスリスト記憶手段から削除することを特徴とする。
【００２８】
また、上記無線通信装置において、上記定期的な接続確認は、ポーリングメッセージを用いて実行されることを特徴とする。
【００２９】
さらに、上記無線通信装置において、上記アドレスリスト記憶手段は、当該アドレスリスト記憶手段に格納された論理アドレスに対応するノード装置が、上記アドレスリスト記憶手段を備えた無線通信装置に有線インターフェースを介して接続されているか否かを示すフラグをさらに格納することを特徴とする。
【００３０】
またさらに、上記無線通信装置において、上記アドレスリスト記憶手段は、当該アドレスリスト記憶手段に格納された論理アドレスに対応するノード装置の物理アドレスをさらに含むことを特徴とする。
【００３１】
また、上記少なくとも２つの無線通信装置の１つにおいて、上記制御手段は、
上記有線インターフェースを介して接続されているノード装置が切断されたとき、上記アドレスリスト記憶手段の物理アドレスを参照し、当該ノード装置より下位の階層に接続されている下位のノード装置が存在する場合には、当該下位のノード装置も切断されたと判断し、
当該無線通信装置から切断されたと判断したノード装置の論理アドレスを上記アドレスリスト記憶手段から削除することを特徴とする。
【００３２】
さらに、上記無線通信システムは、上記各ノード装置のための無線アドレスを管理するアドレス管理手段をさらに備え、
上記制御手段は、上記有線インターフェースを介して上記無線通信装置に接続されたノード装置のための無線アドレスを上記アドレス管理手段から取得し、当該ノード装置の論理アドレスと関連付けて上記アドレスリスト記憶手段に格納することを特徴とする。
【００３３】
またさらに、上記無線通信装置において、
上記有線インターフェースはＨＤＭＩの５Ｖ信号線を含み、
上記少なくとも２つの無線通信装置の１つにおいて、上記制御手段は、
上記有線インターフェースを介して当該無線通信装置に接続され、上記アドレスリスト記憶手段に論理アドレスが格納されているノード装置について、上記５Ｖ信号線の電圧値に基づいて当該ノード装置が当該無線通信装置から切断されたか否かを判断し、
当該無線通信装置から切断されたと判断したノード装置の論理アドレスを上記アドレスリスト記憶手段から削除することを特徴とする。
【００３４】
また、上記少なくとも２つの無線通信装置の１つにおいて特定のメッセージを受信したとき、当該無線通信装置の制御手段は、受信したメッセージに含まれる送信元論理アドレスを当該無線通信装置のアドレスリスト記憶手段に追加することを特徴とする。
【００３５】
さらに、上記無線通信装置において、上記特定のメッセージはレポート・フィジカル・アドレス（Ｒｅｐｏｒｔ  Ｐｈｙｓｉｃａｌ  Ａｄｄｒｅｓｓ）メッセージであることを特徴とする。
【００３６】
またさらに、上記少なくとも２つの無線通信装置の１つにおいて上記レポート・フィジカル・アドレス（Ｒｅｐｏｒｔ  Ｐｈｙｓｉｃａｌ  Ａｄｄｒｅｓｓ）メッセージを受信したとき、当該無線通信装置の制御手段は、受信したメッセージに含まれる送信元論理アドレスと物理アドレスを関連付けて当該無線通信装置のアドレスリスト記憶手段に追加することを特徴とする。
【００３７】
また、上記少なくとも２つの無線通信装置の１つにおいて、上記制御手段は、
上記アドレスリスト記憶手段に格納された内容が変更されたときに、上記アドレスリスト記憶手段の変更内容を示すリスト交換メッセージを上記無線インタフェースを介して他の無線通信装置に送信し、
他の無線通信装置から当該他の無線通信装置のアドレスリスト記憶手段の変更内容を示すリスト交換メッセージを受信したときに、上記受信したリスト交換メッセージに含まれる変更内容に従って、上記無線インターフェースを介して接続されたノード装置の論理アドレスを追加又は削除することを特徴とする。
【００３８】
さらに、上記無線通信装置において、上記リスト交換メッセージは、上記アドレスリスト記憶手段の内容の少なくとも一部を含むことを特徴とする。
【００３９】
またさらに、上記各無線通信装置は、当該無線通信装置のアドレスリスト記憶手段が変更される毎に上記リスト交換メッセージを送信することを特徴とする。
【００４０】
また、上記無線通信装置において、上記リスト交換メッセージは、上記アドレスリスト記憶手段において新たに追加又は削除された論理アドレスと、当該論理アドレスの追加又は削除を示すビットとを少なくとも含むことを特徴とする。
【００４１】
さらに、上記無線通信装置において、上記リスト交換メッセージは、上記アドレスリスト記憶手段に格納されたすべてのノード装置に対応する情報を含むことを特徴とする。
【００４２】
またさらに、上記少なくとも２つの無線通信装置の１つにおいて、上記制御手段は、当該無線通信装置のアドレスリスト記憶手段に存在しない論理アドレスの中から当該無線通信装置自体の論理アドレスを選択することを特徴とする。
【発明の効果】
【００４３】
従って、本発明に係る論理アドレス割り当て方法及び無線通信装置によれば、ＨＤＭＩ規格に準拠した複数の装置が無線で接続される場合においても、各々の装置に重複なく論理アドレスを割り当てることが可能となり、ＣＥＣメッセージを用いて装置間の制御を行うことができ、ユーザの利便性の向上を図ることができる。
【発明を実施するための最良の形態】
【００４４】
以下、本発明に係る実施形態について図面を参照して説明する。
【００４５】
第１の実施形態．
図１は、本発明の第１の実施形態に係る無線通信システムの構成の一例を示すブロック図であり、図２乃至図４は、図１の無線ノード装置１０，２０，５０及び有線ノード装置３０，４０，７０，６０の詳細構成を示すブロック図である。図１乃至図４において、有線ノード装置３０，４０，７０，６０は、ＨＤＭＩの従来の有線インターフェースのみを備えた装置として構成され、無線ノード装置１０，２０，５０は、無線インターフェースと、ＨＤＭＩの従来の有線インターフェースとを備えた装置として構成される。無線ノード装置２０と有線ノード装置３０とはＨＤＭＩケーブル８１を介して接続され、無線ノード装置２０と有線ノード装置４０とはＨＤＭＩケーブル８２を介して接続され、有線ノード装置３０，７０はＨＤＭＩケーブル８３を介して接続され、無線ノード装置１０と有線ノード装置６０とはＨＤＭＩケーブル８４を介して接続され、これらの装置は互いに有線インターフェースを用いてデータの伝送を行う。また、無線ノード装置１０，２０，５０は、無線インターフェースを用いて無線区間を介して互いにデータの伝送を行う。
【００４６】
図２において、無線ノード装置１０は、アンテナ１７に接続され、無線信号の送受信及び変復調などの処理を行う無線インターフェースとしての無線送受信回路１２と、他のノード装置から伝送されたコンテンツ情報を再生のために処理する映像音声処理回路１３と、ＨＤＭＩの入力ポートを備えた有線インターフェース回路１４と、これらを制御するコントローラ１１とを備える。映像音声処理回路１３には、ディスプレイ１５及びスピーカ１６が接続される。また、コントローラ１１は、ＣＥＣメッセージの送受信を制御するＣＥＣコントローラ１１Ａと、無線通信システム内のすべてのノード装置に無線区間を介した伝送を行うためのアドレスを割り当てるアドレス管理コントローラ１１Ｃとを備え、ＣＥＣコントローラ１１Ａには、システム内の各装置の論理アドレスと、無線区間を介した伝送のために必要な情報とを含むアドレスリストテーブルを記憶するアドレスリストメモリ１１Ｂが接続されている。無線送受信回路１２は、無線送信するデータをバッファリングし、また再送のために格納する送信データメモリ１２Ａを備える。
【００４７】
また、図２において、有線ノード装置６０は、チューナ、又はＤＶＤ等の記録媒体からコンテンツ情報を読み出す映像音声再生装置６２と、ＨＤＭＩの出力ポートを備えた有線インターフェース回路６３と、これらを制御するコントローラ６１とを備える。有線インターフェース回路６３の出力ポートは、ＨＤＭＩケーブル８４を介して無線ノード装置１０の有線インターフェース回路１４の入力ポートに接続され、これにより、有線ノード装置６０はソース装置として動作し、無線ノード装置１０はシンク装置として動作する。コントローラ６１は、ＣＥＣメッセージの送受信を制御するＣＥＣコントローラ６１Ａを備え、ＣＥＣコントローラ６１Ａには、システム内の各装置の論理アドレスを含むアドレスリストテーブルを記憶するアドレスリストメモリ６１Ｂが接続されている。
【００４８】
図３において、無線ノード装置２０は、ＨＤＭＩの入力ポートを備えた有線インターフェース回路２２と、コンテンツ情報の記録又は他の処理を行う映像音声処理回路２３と、アンテナ２５に接続され、無線信号の送受信及び変復調などの処理を行う無線インターフェースとしての無線送受信回路２４と、これらを制御するコントローラ２１とを備える。有線インターフェース回路２２は、ＨＤＭＩの出力ポートをさらに備えていてもよい。また、コントローラ２１は、ＣＥＣメッセージの送受信を制御するＣＥＣコントローラ２１Ａを備え、ＣＥＣコントローラ２１Ａには、システム内の各装置の論理アドレスと、無線区間を介した伝送のために必要な情報とを含むアドレスリストテーブルを記憶するアドレスリストメモリ２１Ｂが接続されている。無線送受信回路２４は、無線送信するデータをバッファリングし、また再送のために格納する送信データメモリ２４Ａを備える。
【００４９】
また、図３において、有線ノード装置３０は、ＨＤＭＩの入力ポート及び出力ポートを備えた有線インターフェース回路３２と、コンテンツ情報の記録又は他の処理を行う映像音声処理回路３３と、これらを制御するコントローラ３１とを備える。有線インターフェース回路３２の出力ポートは、ＨＤＭＩケーブル８１を介して無線ノード装置２０の有線インターフェース回路２２の入力ポートに接続され、これにより、有線ノード装置３０はソース装置として動作し、無線ノード装置２０はシンク装置として動作する。また、コントローラ３１は、ＣＥＣメッセージの送受信を制御するＣＥＣコントローラ３１Ａを備え、ＣＥＣコントローラ３１Ａには、システム内の各装置の論理アドレスを含むアドレスリストテーブルを記憶するアドレスリストメモリ２１Ｂが接続されている。
【００５０】
また、図３において、有線ノード装置４０は、チューナ、又はＤＶＤ等の記録媒体からコンテンツ情報を読み出す映像音声再生装置４２と、ＨＤＭＩの出力ポートを備えた有線インターフェース回路４３と、これらを制御するコントローラ４１とを備える。有線インターフェース回路４３の出力ポートは、ＨＤＭＩケーブル８２を介して無線ノード装置２０の有線インターフェース回路２２の入力ポートに接続され、これにより、有線ノード装置４０はソース装置として動作し、無線ノード装置２０はシンク装置として動作する。コントローラ４１は、ＣＥＣメッセージの送受信を制御するＣＥＣコントローラ４１Ａを備え、ＣＥＣコントローラ４１Ａには、システム内の各装置の論理アドレスを含むアドレスリストテーブルを記憶するアドレスリストメモリ４１Ｂが接続されている。
【００５１】
また、図３において、有線ノード装置７０は、チューナ、又はＤＶＤ等の記録媒体からコンテンツ情報を読み出す映像音声再生装置７２と、ＨＤＭＩの出力ポートを備えた有線インターフェース回路７３と、これらを制御するコントローラ７１とを備える。有線インターフェース回路７３の出力ポートは、ＨＤＭＩケーブル８３を介して有線ノード装置３０の有線インターフェース回路３２の入力ポートに接続され、これにより、有線ノード装置７０はソース装置として動作し、有線ノード装置３０はシンク装置として動作する。コントローラ７１は、ＣＥＣメッセージの送受信を制御するＣＥＣコントローラ７１Ａを備え、ＣＥＣコントローラ７１Ａには、システム内の各装置の論理アドレスを含むアドレスリストテーブルを記憶するアドレスリストメモリ７１Ｂが接続されている。
【００５２】
図４において、無線ノード装置５０は、ＨＤＭＩの入力ポート及び出力ポートを備えた有線インターフェース回路５２と、チューナ、又はＤＶＤ等の記録媒体からコンテンツ情報を読み出す映像音声再生装置５３と、アンテナ５５に接続され、無線信号の送受信及び変復調などの処理を行う無線インターフェースとしての無線送受信回路５４と、これらを制御するコントローラ５１とを備える。オプションとして、有線インターフェース回路５２は省略されてもよい。コントローラ５１は、ＣＥＣメッセージの送受信を制御するＣＥＣコントローラ５１Ａを備え、ＣＥＣコントローラ５１Ａには、システム内の各装置の論理アドレスと、無線区間を介した伝送のために必要な情報とを含むアドレスリストテーブルを記憶するアドレスリストメモリ５１Ｂが接続されている。無線送受信回路５４は、無線送信するデータをバッファリングし、また再送のために格納する送信データメモリ５４Ａを備える。
【００５３】
各無線ノード装置１０，２０，５０のＣＥＣコントローラ１１Ａ，２１Ａ，５１Ａはそれぞれ、主として以下のような処理を実行する。
（１）ＣＥＣバスにおいて（すなわちＨＤＭＩケーブルを介して有線で）他のノード装置が接続されているか否かを確認する処理。
（２）アドレスリストメモリ１１Ｂ，２１Ｂ，５１Ｂのアドレスリストテーブルへの論理アドレスの追加及び削除を行う処理。
（３）ＨＤＭＩケーブルを介して有線で接続された他のノード装置からのポーリングメッセージに対して代理で応答する処理。
（４）無線ノード装置１０，２０，５０間でアドレスリストテーブルの交換を行う処理。
【００５４】
無線送受信回路１２，２４，５４は、高周波回路、ベースバンド処理回路、媒体アクセス制御回路などを含むが、どのような無線伝送方式を用いてもよく、本実施形態では説明を省略する。例えば、２．４ＧＨｚ帯や５ＧＨｚ帯の電波を用いたＩＥＥＥ８０２．１１で規定された無線伝送方式を利用することやミリ波帯の電波を用いた無線伝送方式を利用することが可能である。
【００５５】
以下、図３の無線ノード装置２０のＣＥＣコントローラ２１Ａによって実行される処理について、図５乃至図８のフローチャートを用いて説明する。
【００５６】
図５は、無線ノード装置２０のＣＥＣコントローラ２１Ａによって実行されるノード装置接続検出処理を示すフローチャートである。この処理は、無線ノード装置２０に有線接続された他のノード装置を検出するために実行される。図５のステップＳ１において、ＣＥＣコントローラ２１Ａは、有線インターフェース回路２２を介してレポート・フィジカル・アドレス（Ｒｅｐｏｒｔ  Ｐｈｙｓｉｃａｌ  Ａｄｄｒｅｓｓ）メッセージを受信する。ここで、レポート・フィジカル・アドレスメッセージは、ＨＤＭＩで規定されているメッセージであり、あるノード装置の物理アドレスと論理アドレスとの関連付けを他のノード装置に通知するときに使用される（非特許文献１を参照）。ステップＳ１においてレポート・フィジカル・アドレスメッセージが受信されたとき、次いでステップＳ２において、アドレスリストメモリ２１Ｂのアドレスリストテーブルを参照して、受信されたレポート・フィジカル・アドレスメッセージの送信元論理アドレスがアドレスリストテーブルにすでに格納されているか否かを判断し、ＮＯのときはステップＳ３に進み、ＹＥＳのときは処理を終了する。ステップＳ３において、ＣＥＣコントローラ２１Ａは、レポート・フィジカル・アドレスメッセージの送信元論理アドレスに設定されている論理アドレスをアドレスリストメモリ２１Ｂのアドレスリストテーブルに追加するとともに、その論理アドレスに対応するノード装置の項目のフラグを１にセットする。このフラグは、アドレスリストテーブル上の各ノード装置が、当該無線ノード装置２０に有線接続されている（フラグ値＝１）か、無線区間を介して接続されている（フラグ値＝０）かを示すためのものである。ここで、無線ノード装置２０自体のフラグ値＝１であり、図５の処理に先立って、無線ノード装置２０自体の論理アドレスを、フラグ値＝１とともにアドレスリストテーブルに格納しておく。
【００５７】
ＣＥＣコントローラ２１Ａは、次いでステップＳ４において、無線区間を介する伝送を行うための識別子としての無線アドレスを、無線ノード装置１０のアドレス管理コントローラ１１Ｃから取得する。無線ノード装置１０のアドレス管理コントローラ１１Ｃは、無線通信システム内のすべてのノード装置（有線・無線を問わず）に無線区間を介した伝送を行うための無線アドレスを割り当てるアドレス管理処理を実行する。ここで、割り当てられる無線アドレスは、例えば、ＭＡＣアドレス、もしくはＭＡＣアドレスよりもビット数が少なく装置を一意に識別するためのデバイスＩＤなどであるが、各ノード装置を一意に識別できるものであればどのようなものであってもよい。アドレス管理処理では、各ノード装置が無線通信システムへの加入時にアドレス管理コントローラ１１Ｃとの認証処理を行い、認証処理完了後に無線アドレスが各ノード装置に割り当てられる。本実施形態では、無線ノード装置２０のＣＥＣコントローラ２１Ａが、無線ノード装置２０のための無線アドレスをアドレス管理コントローラ１１Ｃから取得するとともに、図５のステップＳ４において、当該無線ノード装置２０に有線接続された有線ノード装置１０の代理としてアドレス管理コントローラ１１Ｃとの認証処理を実行し、有線ノード装置１０のための無線アドレスをアドレス管理コントローラ１１Ｃから取得して、これらの無線アドレスをアドレスリストメモリ２１Ｂのアドレスリストテーブルに識別子として格納しておく。
【００５８】
図９は、アドレスリストメモリ２１Ｂ内のアドレスリストテーブルのフォーマットの一例を示す図である。図９において、識別子フィールド１０１は、無線区間を介して各ノード装置を識別するために使用される無線アドレスを格納するフィールドであり、論理アドレスフィールド１０２は、レポート・フィジカル・アドレスメッセージの送信元論理アドレスに設定されている論理アドレスが格納されるフィールドであり、フラグフィールド１０３は、アドレスリストテーブル上の各ノード装置が無線ノード装置２０に有線接続されているか否かを示すためのフラグを格納するフィールドである。アドレスリストテーブルは、本実施形態で挙げた以外のフィールドを含んでいてもよい。また、同様の効果を示すものであれば、異なるフォーマットを用いてもよい。
【００５９】
ＣＥＣコントローラ２１Ａは、ステップＳ３及びＳ４の実行後、ステップＳ５において、アドレスリストテーブルの内容（全体、又はその変更部分）を含むリスト交換メッセージを、無線送受信回路２４を介して他の無線ノード装置１０，５０に送信する。
【００６０】
図１０は、リスト交換メッセージのフォーマットの一例を示す図である。図１０において、機器数フィールド２０１は論理アドレスについての変更（すなわち追加又は削除）のあったノード装置の個数がセットされるフィールドであり、Ａビットフィールド２０２ａ〜２０２ｎは論理アドレスの追加を示すフィールドであり、Ｄビットフィールド２０３ａ〜２０３ｎは論理アドレスの削除を示すフィールドであり、アドレスフィールド２０４ａ〜２０４ｎは削除もしくは追加される論理アドレスを示すフィールドであり、識別子フィールド２０５ａ〜２０５ｎは各アドレスフィールド２０４ａ〜２０４ｎに格納されている論理アドレスに対応付けられた識別子（無線アドレス）を示すフィールドである。これらのフィールドに格納される値は、図５のステップＳ３におけるアドレスの追加及び／又は図６の処理によるアドレスの削除（後述）により生じたアドレスリストメモリ２１Ｂのアドレスリストテーブルの変更部分に基づいて決定される。リスト交換メッセージ内に含まれるノード装置の項目（Ａビットフィールド、Ｄビットフィールド、アドレスフィールド及び識別子フィールドからなる組）の個数は、機器数フィールド２０１にセットされた数と同じだけになる。また、リスト交換メッセージには、これらのフィールド以外にＭＡＣヘッダなどが付加されるが、説明の簡単化のために省略する。
【００６１】
図１１は、リスト交換メッセージのフォーマットの他の一例を示す図である。図１１において、このフォーマットは、変更のあった論理アドレスだけではなく、アドレスリストメモリ２１Ｂのアドレスリストテーブルに格納されたすべての論理アドレスと、それに対応する識別子とを交換する際に利用される。従って、機器数フィールド２０１には、アドレスリストメモリ２１Ｂのアドレスリストテーブルに含まれる論理アドレスの個数がセットされ、アドレスフィールド２０４ａ〜２０４ｎ及び識別子フィールド２０５ａ〜２０５ｎには、アドレスリストテーブル内のすべての論理アドレス及び対応する識別子が含まれる。これらのフィールドに格納される値は、図５のステップＳ３におけるアドレスの追加及び／又は図６の処理によるアドレスの削除（後述）により生じたアドレスリストメモリ２１Ｂのアドレスリストテーブルの全体に基づいて決定される。リスト交換メッセージのフォーマットとしては、同様の効果を示すものであれば、図１０及び図１１に示すものとは異なるフォーマットを用いてもよい。
【００６２】
ＣＥＣコントローラ２１Ａは、有線インターフェース回路２２を介してノード装置からレポート・フィジカル・アドレスメッセージが受信される毎に、図５のステップＳ１乃至Ｓ５の処理を繰り返す。
【００６３】
図６は、無線ノード装置２０のＣＥＣコントローラ２１Ａによって実行される、ノード装置の接続確認のためのポーリング処理を示すフローチャートである。この処理は、アドレスリストメモリ２１Ｂのアドレスリストテーブルにおいて管理されている無線ノード装置２０に有線接続されているはずのノード装置が、実際に存在しているか否かを確認するために実行される。図６のステップＳ１１において、無線ノード装置２０のＣＥＣコントローラ２１Ａは、アドレスリストメモリ２１Ｂのアドレスリストテーブルを参照し、フラグ値＝１である（すなわち、無線ノード装置２０に有線接続されている）ノード装置の論理アドレスを抽出し、次いでステップＳ１２において、この抽出された論理アドレスを宛先として、有線インターフェース回路２２を介して、接続確認のためにポーリンクメッセージを送信する。その後、ステップＳ１３において、ＣＥＣコントローラ２１Ａは、有線インターフェース回路２２において、ポーリングメッセージに対するＡＣＫが検出されたか否かを判断し、ＹＥＳのときはステップＳ１５に進み、ＮＯのときはステップＳ１４に進む。
【００６４】
ポーリングメッセージを送信してから所定の時間内にＡＣＫが受信されなかったとき（ステップＳ１３がＮＯのとき）は、ＣＥＣコントローラ２１Ａは、アドレスリストメモリ２１Ｂのアドレスリストテーブルから、そのポーリングメッセージの宛先論理アドレスに対応するノード装置の項目を削除する。一方、ポーリングメッセージを送信してから所定の時間内にＡＣＫ検出通知が入力されたとき（ステップＳ１３がＹＥＳのとき）は、ＣＥＣコントローラ２１Ａは、ステップＳ１５において、無線ノード装置２０のアドレスリストメモリ２１Ｂにおいて当該ＣＥＣコントローラ２１Ａが管理する論理アドレスのうち、フラグ値＝１であるノード装置に対応するすべての論理アドレスに対してポーリングが完了したか否かを判断する。ステップＳ１５がＮＯのときはステップＳ１１に戻り、アドレスリストテーブルに含まれるフラグ値＝１である他のノード装置（ただし、無線ノード装置２０自体は除く。）に対応する論理アドレスに対して同様の動作を行う。一方、ステップＳ１５がＹＥＳのときはステップＳ１６に進み、図５のステップＳ５と同様に、無線送受信回路２４を介して他の無線ノード装置１０，５０にリスト交換メッセージを送信し、処理を終了する。図６のポーリング処理は、所定時間の周期で繰り返し実行される。
【００６５】
図７は、無線ノード装置２０のＣＥＣコントローラ２１Ａによって実行されるアドレスリストテーブル更新処理を示すフローチャートである。無線通信システムにおける他の無線ノード装置１０，５０もまた、無線ノード装置２０と同様に図５及び図６の処理を実行し、これにより、無線ノード装置１０は、当該無線ノード装置１０自体の情報と、無線ノード装置１０に有線接続された有線ノード装置６０の情報とを、アドレスリストメモリ１１Ｂのアドレスリストテーブルに格納し、無線ノード装置５０は、当該無線ノード装置５０自体の情報と、無線ノード装置５０に有線接続されたノード装置（図１乃至図４に示す例では０個）の情報とを、アドレスリストメモリ５１Ｂのアドレスリストテーブルに格納している。各無線ノード装置１０，２０，５０は、図５のステップＳ５、図６のステップＳ１６、及び図７の処理において、アドレスリストテーブル内の情報をそれぞれ交換する。
【００６６】
図７のステップＳ２１において、無線ノード装置２０のＣＥＣコントローラ２１Ａは、無線送受信回路２４を介して、無線ノード装置１０又は５０からのリスト交換メッセージを受信したとき、次いでステップＳ２２において、受信されたリスト交換メッセージに基づいて、アドレスリストメモリ２１Ｂのアドレスリストテーブルを更新し、処理を終了する。リスト交換メッセージが例えば図１０に示すフォーマットを有する場合、ステップＳ２２において、ＣＥＣコントローラ２１Ａは、リスト交換メッセージのＡビットフィールド２０２ａ〜２０２ｎが「１」であるノード装置に対応する論理アドレス及び識別子の値を、リスト交換メッセージからアドレスリストメモリ２１Ｂのアドレスリストテーブルに追加し、さらに、追加された項目のフラグ値を「０」にセットする。さらに、ＣＥＣコントローラ２１Ａは、リスト交換メッセージのＤビットフィールド２０３ａ〜２０３ｎが「１」であるノード装置に対応する論理アドレス、識別子及びフラグを、アドレスリストメモリ２１Ｂのアドレスリストテーブルから削除する。リスト交換メッセージが図１１に示すフォーマットを有する場合にも、ＣＥＣコントローラ２１Ａは、リスト交換メッセージの内容に基づいてアドレスリストメモリ２１Ｂのアドレスリストテーブルを更新する。
【００６７】
これにより、各無線ノード装置１０，２０，５０はそれぞれ、無線通信システム内のすべてのノード装置に係る論理アドレス及び識別子を、そのアドレスリストテーブルに格納することができる。また、各無線ノード装置１０，２０，５０は、アドレスリストテーブルのフラグ値を参照することにより、各ノード装置が当該無線ノード装置に有線接続されているか、それとも無線区間を介して接続されているかを区別することができる。また、当然ながら、各有線ノード装置３０，４０，６０，７０のアドレスリストテーブルは、識別子フィールド及びフラグフィールドを持たない。
【００６８】
図８は、無線ノード装置２０のＣＥＣコントローラ２１Ａによって実行される代理応答処理を示すフローチャートである。この代理応答は、無線通信システムにおけるいずれかのノード装置が論理アドレス割り当てのためのポーリングメッセージを送信したとき、そのポーリングメッセージの宛先論理アドレスが無線区間を介して接続された他のノード装置によってすでに使用されているときに実行される処理である。
【００６９】
図８のステップＳ３１において、無線ノード装置２０のＣＥＣコントローラ２１Ａは、有線インターフェース回路２２を介してポーリングメッセージを受信すると、アドレスリストメモリ２１Ｂのアドレスリストテーブルを参照し、ステップＳ３２において、受信されたポーリングメッセージの宛先論理アドレスがアドレスリストテーブルに格納されているか否かを判断し、ＹＥＳのときはステップＳ３３に進み、ＮＯのときは処理を終了する。ステップＳ３３において、ＣＥＣコントローラ２１Ａはさらに、アドレスリストテーブルにおいて、受信されたポーリングメッセージの宛先論理アドレスに一致する論理アドレスを含む項目のフラグ値が「１」であるか否かを判断し、ＹＥＳのときは処理を終了し、ＮＯのときはステップＳ３４に進む。ステップＳ３３がＹＥＳのときは、無線ノード装置２０に有線接続されたいずれかのノード装置がＡＣＫを送信するので、無線ノード装置２０による代理応答は必要がない。一方、ステップＳ３３がＮＯのときは、ポーリングメッセージに含まれていた宛先論理アドレスが、無線区間を介して接続された他のノード装置によってすでに使用されているので、ステップＳ３４において、無線ノード装置２０のＣＥＣコントローラ２１Ａは、その論理アドレスを使用しているノード装置に代わって、有線インターフェース回路２２を介してポーリングメッセージの送信元のノード装置にＡＣＫを送信し、処理を終了する。
【００７０】
以上説明したように、無線ノード装置２０のＣＥＣコントローラ２１Ａは、アドレスリストメモリ２１Ｂのアドレスリストテーブルにおけるフラグの値を用いて、代理応答するか否かを判断する。アドレスリストメモリ２１Ｂのアドレスリストテーブルは、無線通信システム内の各ノード装置についての情報（識別子、論理アドレス、フラグ）を記憶し、特に、各ノード装置が有線インターフェース回路２２を介して有線接続されているか、それとも無線区間を介して接続されているかを区別するためのフラグを記憶したことを特徴とする。有線接続されたノード装置の欄は「フラグ＝１」のフォーマットになり、一方、図２の処理により取得される、無線区間を介して接続されたノード装置の欄では「フラグ＝０」になる。ＣＥＣコントローラ２１Ａは、有線インターフェース回路２２で受信されたポーリングメッセージの宛先が「フラグ＝１」のノード装置であるときは代理応答せず、「フラグ＝０」であるときは代理応答する。これにより、本実施形態の無線ノード装置２０のＣＥＣコントローラ２１Ａは、有線インターフェース回路２２からポーリングメッセージを受信したときにアドレスリストメモリ２１Ｂのアドレスリストテーブルに基づいて上記ポーリングメッセージの宛先論理アドレスを判断し、上記ポーリングメッセージの宛先論理アドレスが無線区間を介して接続されたノード装置の論理アドレスである場合、上記受信したポーリングメッセージに対するＡＣＫを有線インターフェース回路２２から送信することを特徴とする。従って、本実施形態の無線通信システムによれば、ＨＤＭＩ規格に準拠した複数のノード装置が無線区間を介して接続される場合においても、各々のノード装置に重複なく論理アドレスを割り当てることが可能となり、ＣＥＣメッセージを用いてノード装置間の制御を行うことができ、ユーザの利便性の向上を図ることができる。
【００７１】
以下、図１２乃至図１４を参照し、図１の無線通信システムの動作の一例について説明する。
【００７２】
無線ノード装置１０の電源がＯＮになったとき、無線ノード装置１０のＣＥＣコントローラ１１Ａは、当該無線ノード装置１０のための論理アドレス及びフラグ値＝１をアドレスリストメモリ１１Ｂのアドレスリストテーブルに追加し、無線ノード装置１０のための無線アドレスをアドレス管理コントローラ１１Ｃから取得して、識別子としてアドレスリストテーブルに追加する。例えば、無線ノード装置１０がＴＶの場合は、論理アドレスとして「０」がアドレスリストテーブルに追加される。次に、無線ノード装置１０は、ＨＤＭＩケーブル８４を介して有線接続されている有線ノード装置６０からポーリングメッセージを受信する。例えば、有線ノード装置６０がＤＶＤプレーヤである場合、ポーリングメッセージの宛先論理アドレスに「４」がセットされる。このとき、無線ノード装置１０のアドレスリストメモリ１１Ｂのアドレスリストテーブルは、ポーリングメッセージに含まれる宛先論理アドレス「４」を含んでいないので、無線ノード装置１０はＡＣＫを返信しない。これにより、有線ノード装置６０は、ポーリングメッセージの宛先論理アドレスに格納した論理アドレスを、当該有線ノード装置６０自体の論理アドレスとして使用することを決定する。
【００７３】
続いて、有線ノード装置６０は無線ノード装置１０にレポート・フィジカル・アドレスメッセージを送信する（図１２のステップＳ４１）。無線ノード装置１０のＣＥＣコントローラ１１Ａは、レポート・フィジカル・アドレスメッセージを受信したとき、送信元の論理アドレス（すなわち、有線ノード装置６０の論理アドレス）をアドレスリストメモリ１１Ｂのアドレスリストテーブルに追加するとともに、その論理アドレスに対応するノード装置の項目のフラグを１にセットする。それと同時に、無線ノード装置１０のＣＥＣコントローラ１１Ａは、有線ノード装置６０のための無線アドレスをアドレス管理コントローラ１１Ｃから取得して、識別子としてアドレスリストテーブルに追加する。
【００７４】
その後、無線ノード装置１０は無線ノード装置２０との無線通信を開始する（図１２のステップＳ４２）。無線ノード装置１０，２０間の無線接続が確立した後、無線ノード装置１０は、無線ノード装置２０にリスト交換メッセージを送信する。リスト交換メッセージ（図１０を参照）は、無線ノード装置１０の論理アドレス及び有線ノード装置６０の論理アドレスと、それらに関連付けられた識別子とが含まれ、さらに、それぞれのＡビットには１がセットされる。
【００７５】
無線ノード装置２０のＣＥＣコントローラ２１Ａは、リスト交換メッセージを受信したとき、各論理アドレス及び識別子に対応するＡビットが１にセットされているので、リスト交換メッセージに含まれる論理アドレス及び識別子をアドレスリストメモリ２１Ｂのアドレスリストテーブルに追加する。その後、無線ノード装置２０のＣＥＣコントローラ２１Ａは、当該無線ノード装置２０自体の論理アドレスを決定する。無線ノード装置２０のＣＥＣコントローラ２１Ａは、論理アドレスを決定する際においては、アドレスリストメモリ２１Ｂのアドレスリストテーブルに含まれていない論理アドレスを当該無線ノード装置２０自体の論理アドレスとして用いる。無線ノード装置２０のＣＥＣコントローラ２１Ａは、当該無線ノード装置２０自体の論理アドレスを決定した後、アドレスリストメモリ２１Ｂのアドレスリストテーブルにその論理アドレスを追加する。ＣＥＣコントローラ２１Ａはさらに、追加した論理アドレスに対応するフラグを１にセットするとともに、無線ノード装置２０のための無線アドレスを無線ノード装置１０のアドレス管理コントローラ１１Ｃから取得して、識別子としてアドレスリストメモリ２１Ｂのアドレスリストテーブルに追加する。この後、無線ノード装置２０のＣＥＣコントローラ２１Ａは、無線ノード装置２０の論理アドレス及び識別子を含み、それに対応するＡビットが１にセットされたリスト交換メッセージを、無線ノード装置１０に送信する。無線ノード装置１０のＣＥＣコントローラ１１Ａは、無線ノード装置２０からリスト交換メッセージを受信したとき、Ａビットに１がセットされているので、リスト交換メッセージに含まれる無線ノード装置２０の論理アドレス及びそれに関連付けられている識別子を、アドレスリストメモリ１１Ｂのアドレスリストテーブルに追加するとともに、対応するフラグ値＝０をセットする。
【００７６】
次に、無線ノード装置２０は、ＨＤＭＩケーブル８１を介して有線接続されている有線ノード装置３０からポーリングメッセージを受信する。ポーリングメッセージに含まれる宛先論理アドレスが、無線ノード装置１０，２０及び有線ノード装置６０のいずれの論理アドレスとも異なる場合、無線ノード装置２０はＡＣＫを返信しない。これにより、有線ノード装置３０は、無線ノード装置２０に送信したポーリングメッセージの宛先論理アドレスに格納されていた論理アドレスを、当該有線ノード装置３０自体のアドレスとして使用することを決定する。
【００７７】
その後、無線ノード装置２０は、有線接続されている有線ノード装置３０からレポート・フィジカル・アドレスメッセージを受信する（図１３のステップＳ４３）。無線ノード装置２０のＣＥＣコントローラ２１Ａは、このレポート・フィジカル・アドレスメッセージを受信したとき、送信元の論理アドレス（すなわち、有線ノード装置３０の論理アドレス）をアドレスリストメモリ２１Ｂのアドレスリストテーブルに追加する。ＣＥＣコントローラ２１Ａはさらに、追加された論理アドレスに対応するフラグを１にセットするとともに、無線ノード装置３０のための無線アドレスを無線ノード装置１０のアドレス管理コントローラ１１Ｃから取得して、識別子としてアドレスリストメモリ２１Ｂのアドレスリストテーブルに追加する。これにより、無線ノード装置２０のＣＥＣコントローラ２１Ａは、有線ノード装置３０の論理アドレス及びそれに関連付けられた識別子を含み、それに対応するＡビットが１にセットされたリスト交換メッセージを、無線ノード装置１０に送信する（図１３のステップＳ４４）。無線ノード装置１０のＣＥＣコントローラ１１Ａは、無線ノード装置２０からリスト交換メッセージを受信したとき、Ａビットが１にセットされているので、リスト交換メッセージに含まれる有線ノード装置３０の論理アドレス及びそれに関連付けられた識別子を、アドレスリストメモリ１１Ｂのアドレスリストテーブルに追加するとともに、対応するフラグ値＝０をセットする。続いて、無線ノード装置２０は、有線接続されている有線ノード装置４０，７０とに対して同様の動作を実行し、アドレスリストメモリ２１Ｂのアドレスリストテーブルに有線ノード装置４０，７０についての情報を追加し、さらにリスト交換メッセージを無線ノード装置１０に送信する。
【００７８】
その後、無線ノード装置１０は、無線ノード装置５０との無線通信を開始する。無線接続が確立した後、無線ノード装置１０は無線ノード装置５０にリスト交換メッセージを送信する（図１３のステップＳ４５）。このリスト交換メッセージは、無線ノード装置１０，２０及び有線ノード装置３０，４０，６０，７０の論理アドレスと、それらに関連付けられた識別子とを含み、それぞれのＡビットには１がセットされている。
【００７９】
無線ノード装置５０は、リスト交換メッセージを受信したとき、各論理アドレスに対応するＡビットが１にセットされているので、リスト交換メッセージに含まれる論理アドレス及びそれに関連付けられた識別子をアドレスリストメモリ５１Ｂのアドレスリストテーブルに追加するとともに、対応するフラグ値＝０をセットする。その後、無線ノード装置５０のＣＥＣコントローラ５１Ａは、当該無線ノード装置５０自体の論理アドレスを決定する。無線ノード装置２０のＣＥＣコントローラ２１Ａは、論理アドレスを決定する際においては、アドレスリストメモリ５１Ｂのアドレスリストテーブルに含まれていない論理アドレスを当該無線ノード装置５０自体の論理アドレスとして用いる。無線ノード装置５０のＣＥＣコントローラ５１Ａは、当該無線ノード装置５０自体の論理アドレスを決定した後、アドレスリストメモリ５１Ｂのアドレスリストテーブルにその論理アドレスを追加する。ＣＥＣコントローラ５１Ａはさらに、追加された論理アドレスに対応するフラグを１にセットするとともに、無線ノード装置５０のための無線アドレスを無線ノード装置１０のアドレス管理コントローラ１１Ｃから取得して、識別子としてアドレスリストメモリ５１Ｂのアドレスリストテーブルに追加する。この後、無線ノード装置５０は、無線ノード装置５０の論理アドレス及び識別子を含み、それに対応するＡビットが１にセットされたリスト交換メッセージを、無線ノード装置１０に送信する。無線ノード装置１０のＣＥＣコントローラ１１Ａは、無線ノード装置５０からリスト交換メッセージを受信したとき、Ａビットに１がセットされているので、リスト交換メッセージに含まれる無線ノード装置５０の論理アドレス及びそれに関連付けられている識別子を、アドレスリストメモリ１１Ｂのアドレスリストテーブルに追加するとともに、対応するフラグ値＝０をセットする。無線ノード装置５０は、無線ノード装置１０に送信すると同時に、無線ノード装置２０にもリスト交換メッセージを送信する。リスト交換メッセージは、無線ノード装置５０から無線ノード装置２０に直接に送信されてもよいし、無線ノード装置１０が無線ノード装置２０に送信してもよい。
【００８０】
無線ノード装置１０，２０は、それらのアドレスリストテーブルにおいてフラグ値＝１を有するノード装置（当該無線ノード装置１０，２０自体を除く）の論理アドレスに対して、定期的にポーリングメッセージを出力する（図６を参照）。すなわち、無線ノード装置１０は、アドレスリストメモリ１１Ｂのアドレスリストテーブルにおいてフラグ値＝１を有する有線ノード装置６０に対してポーリングメッセージを出力し、無線ノード装置２０は、アドレスリストメモリ２１Ｂのアドレスリストテーブルにおいてフラグ値＝１を有する有線ノード装置３０，４０，７０に対してポーリングメッセージを出力する。
【００８１】
ここでは、一例として、有線ノード装置３０が無線ノード装置２０から切断された場合について説明する。無線ノード装置２０が有線ノード装置３０に対するポーリングメッセージを出力したとき、有線ノード装置３０は存在しないので、ＡＣＫが返信されない（図１４のステップＳ４６）。これにより、無線ノード装置２０は有線ノード装置３０が切断されたと判断し、アドレスリストメモリ２１Ｂのアドレスリストテーブルから、有線ノード装置３０に対応する論理アドレス、識別子及びフラグを削除する。この後、無線ノード装置２０は、有線ノード装置３０の論理アドレス及び識別子を含み、それに対応するＤビットが１にセットされたリスト交換メッセージを、無線ノード装置１０に送信する（図１４のステップＳ４７）。
【００８２】
無線ノード装置１０のＣＥＣコントローラ１１Ａは、このリスト交換メッセージを受信したとき、Ｄビットが１にセットされているので、リスト交換メッセージに含まれる論理アドレス及び識別子に対応するノード装置の項目（識別子、論理アドレス、及びフラグ）をアドレスリストメモリ１１Ｂのアドレスリストテーブルから削除する。無線ノード装置２０は、無線ノード装置１０に送信すると同時に、無線ノード装置５０にもリスト交換メッセージを送信する。これにより、同様に、無線ノード装置５０のアドレスリストメモリ５１Ｂのアドレスリストテーブルから、リスト交換メッセージに含まれる論理アドレス及び識別子に対応するノード装置の項目（識別子、論理アドレス、及びフラグ）が削除される。リスト交換メッセージは、無線ノード装置２０から無線ノード装置５０に直接に送信されてもよいし、無線ノード装置１０が無線ノード装置５０に送信してもよい（図１４のステップＳ４８）。
【００８３】
なお、無線ノード装置２０のＣＥＣコントローラ２１Ａは、無線通信システム内の各ノード装置の物理アドレスを管理することにより、有線ノード装置３０が切断されたことを検出したときに、有線ノード装置３０よりも下の階層に接続されている有線ノード装置７０も切断されたと判断することもできる。
【００８４】
なお、ポーリングメッセージを複数回送信し、ＡＣＫが一度も返信されないときに切断されたと判断してもよい。また、各無線ノード装置１０，２０，５０は、定期的にすべての論理アドレスに対してポーリングメッセージを順番に出力してもよい。
【００８５】
第２の実施形態．
以下、本発明に係る第２の実施形態について説明する。本実施形態は、第１の実施形態の構成に加えて、無線ノード装置２０のＣＥＣコントローラ２１Ａが、有線インターフェース回路２２において検出されるＨＤＭＩの５Ｖ信号に基づき、無線ノード装置２０に有線接続された他のノード装置の切断を検出することを特徴とする。アドレスリストメモリ２１Ｂのアドレスリストテーブルはさらに物理アドレスのフィールドを含み、５Ｖ信号と物理アドレスに基づいてアドレスリストテーブルから論理アドレスの削除を行う。第１の実施形態と同様である点は説明を省略する。
【００８６】
図１５は、本発明の第２の実施形態に係る、図３の無線ノード装置２０のＣＥＣコントローラ２１Ａによって実行されるノード装置切断検出処理を示すフローチャートである。図１５のステップＳ５１で、無線ノード装置２０のＣＥＣコントローラ２１Ａは、有線インターフェース回路２２において、有線接続されたいずれかのノード装置（ソース装置）からの５Ｖ信号の入力が停止したことを検出する。次いでステップＳ５２において、ＣＥＣコントローラ２１Ａは、有線インターフェース回路２２において５Ｖ信号の入力が停止した入力ポートに接続されていたノード装置に割り当てられていた物理アドレスに対応付けられた識別子、論理アドレス及びフラグを、当該物理アドレスとともに、アドレスリストメモリ２１Ｂのアドレスリストテーブルから削除する。また、同様に、ＣＥＣコントローラ２１Ａは、５Ｖ信号の入力が停止した入力ポートに接続されていたノード装置に割り当てられた物理アドレスよりも下の階層の物理アドレスに対応付けられた識別子、論理アドレス及びフラグを、当該物理アドレスとともに、アドレスリストメモリ２１Ｂのアドレスリストテーブルから削除する。次いでステップＳ５３において、ＣＥＣコントローラ２１Ａは、削除後のアドレスリストテーブルの状態を反映したリスト交換メッセージを、無線送受信回路２４を介して他の無線ノード装置１０，５０に送信する。
【００８７】
図１６は、本発明の第２の実施形態に係る、図３の無線ノード装置２０のアドレスリストメモリ２１Ｂに格納されているアドレスリストテーブルのフォーマットの一例を示す図である。図１６において、識別子フィールド１０１、論理アドレスフィールド１０２及びフラグフィールド１０３は図９の場合と同様であり、物理アドレス１０４は、ノード装置の接続状況に従って割り当てられるアドレスである。
【００８８】
第２の実施形態において、図５の処理は、ステップＳ１で受信されたレポート・フィジカル・アドレスメッセージに含まれる物理アドレスを、ステップＳ３においてアドレスリストメモリ２１Ｂのアドレスリストテーブルにさらに追加するように変更される。
【００８９】
変形例．
本発明に係る実施形態の無線通信システムは、図１乃至図４に示した構成に限定されず、さらに他の有線ノード装置及び／又は無線ノード装置を備えていてもよい。例えば、無線ノード装置１０，２０及び有線ノード装置３０等の有線インターフェースに他のソース装置がさらに接続されていてもよく、また、無線インターフェースを介して他のソース装置がさらに接続されていてもよい。
【００９０】
また、無線ノード装置１０，２０，５０は、映像音声処理回路１３，２３，５３を持たず、既存の従来技術の有線ノード装置に接続される無線アダプタ装置として構成されてもよい。
【００９１】
なお、アドレス管理処理は、無線通信システムにおける複数の無線ノード装置のうちのいずれか１つが実行すればよい。従って、無線ノード装置１０に代わって無線ノード装置２０，５０のいずれかがアドレス管理コントローラを備えていてもよく、また、無線ノード装置１０，２０，５０のそれぞれがアドレス管理コントローラを備え、そのうち１つがアドレス管理処理を実行してもよい。
【００９２】
以上説明した実施形態においては、メッセージフォーマット及びテーブルフォーマットの一例を示したが、同様の効果を示すものであれば、異なるフォーマットを用いてもよい。
【産業上の利用可能性】
【００９３】
本発明に係る論理アドレス割り当て方法及び無線通信装置は、複数の機器間で無線を用いて映像伝送を行う無線通信装置等として有用である。
【図面の簡単な説明】
【００９４】
【図１】本発明の第１の実施形態に係る無線通信システムの構成の一例を示すブロック図である。
【図２】図１の無線ノード装置１０及び有線ノード装置６０の詳細構成を示すブロック図である。
【図３】図１の無線ノード装置２０及び有線ノード装置３０，４０，７０の詳細構成を示すブロック図である。
【図４】図１の無線ノード装置５０の詳細構成を示すブロック図である。
【図５】図３の無線ノード装置２０のＣＥＣコントローラ２１Ａによって実行されるノード装置接続検出処理を示すフローチャートである。
【図６】図３の無線ノード装置２０のＣＥＣコントローラ２１Ａによって実行される、ノード装置の接続確認のためのポーリング処理を示すフローチャートである。
【図７】図３の無線ノード装置２０のＣＥＣコントローラ２１Ａによって実行されるアドレスリストテーブル更新処理を示すフローチャートである。
【図８】図３の無線ノード装置２０のＣＥＣコントローラ２１Ａによって実行される代理応答処理を示すフローチャートである。
【図９】図３の無線ノード装置２０のアドレスリストメモリ２１Ｂに格納されているアドレスリストテーブル１のフォーマットの一例を示す図である。
【図１０】図５乃至図７のリスト交換メッセージのフォーマットの一例を示す図である。
【図１１】図５乃至図７のリスト交換メッセージのフォーマットの他の一例を示す図である。
【図１２】図１の無線通信システムの動作の一例における第１の部分を示すブロック図である。
【図１３】図１の無線通信システムの動作の一例における第２の部分を示すブロック図である。
【図１４】図１の無線通信システムの動作の一例における第３の部分を示すブロック図である。
【図１５】本発明の第２の実施形態に係る、図３の無線ノード装置２０のＣＥＣコントローラ２１Ａによって実行されるノード装置切断検出処理を示すフローチャートである。
【図１６】本発明の第２の実施形態に係る、図３の無線ノード装置２０のアドレスリストメモリ２１Ｂに格納されているアドレスリストテーブルのフォーマットの一例を示す図である。
【符号の説明】
【００９５】
１０，２０，５０…無線ノード装置、
３０，４０，６０，７０…有線ノード装置、
１１，２１，３１，４１，５１，６１，７１…コントローラ、
１１Ａ，２１Ａ，３１Ａ，４１Ａ，５１Ａ，６１Ａ，７１Ａ…ＣＥＣコントローラ、
１１Ｂ，２１Ｂ，３１Ｂ，４１Ｂ，５１Ｂ，６１Ｂ，７１Ｂ…アドレスリストメモリ、
１１Ｃ…アドレス管理コントローラ、
１２，２４，５４…無線送受信回路、
１２Ａ，２４Ａ，５４Ａ…送信データメモリ、
１３，２３，３３…映像音声処理回路、
１４，２２，３２，４３，５２，６３，７３…有線インターフェース回路
１５…ディスプレイ、
１６…スピーカ、
１７，２５，５５…アンテナ、
４２，５３，６２，７２…映像音声再生装置、
８１，８２，８３，８４…ＨＤＭＩケーブル、
１０１…識別子フィールド、
１０２…論理アドレスフィールド、
１０３…フラグフィールド、
１０４…物理アドレスフィールド、
２０１…機器数フィールド、
２０２ａ〜２０２ｎ…Ａビット、
３０２ａ〜３０３ｎ…Ｄビット、
２０４ａ〜２０４ｎ…アドレスフィールド、
２０５ａ〜２０５ｎ…識別子フィールド。
【図１】
2008295069.tif 000003
【図２】
2008295069.tif 000004
【図３】
2008295069.tif 000005
【図４】
2008295069.tif 000006
【図５】
2008295069.tif 000007
【図６】
2008295069.tif 000008
【図７】
2008295069.tif 000009
【図８】
2008295069.tif 000010
【図９】
2008295069.tif 000011
【図１０】
2008295069.tif 000012
【図１１】
2008295069.tif 000013
【図１２】
2008295069.tif 000014
【図１３】
2008295069.tif 000015
【図１４】
2008295069.tif 000016
【図１５】
2008295069.tif 000017
【図１６】
2008295069.tif 000018